(57)【特許請求の範囲】
【請求項１】
サッカーボール蹴球後の、飛球〜強制反転〜強制帰球に至る運動過程を電気的に管理するサッカートレーニング電気システムであって、
前記サッカーボールと連結される連結板と、
前記連結板と接続される連結線と、
前記連結線の巻き取りにかかる負荷を制御する制御機器体と、
前記制御機器体にＯＮ／ＯＦＦ信号を切り替えて送る送信機と、
を備え、
前記送信機から前記制御機器体に空転を示すＯＦＦ信号が送信されると、前記制御機器体は、蹴球者が前記サッカーボールを蹴り放ったときに前記連結線の巻き取りのメカニズムに負荷が懸からない状態になるよう制御し、
前記送信機から前記制御機器体に駆動を示すＯＮ信号が送信されると、前記制御機器体は、前記連結線を巻き取るよう制御する、サッカートレーニング電気システム。
【請求項２】
前記制御機器体は、電源回路、駆動体、駆動回路、受信回路、制御回路、連結線巻取り器、およびセンサー回路を備え、
前記電源回路は、前記駆動体に電力を与え、
前記駆動体は、前記連結線巻取り器に前記連結線の巻き取りのための駆動力を与え、
前記駆動回路は、前記駆動体の駆動に必要な電力を与え、
前記受信回路は、前記送信機から送られる前記ＯＮ信号または前記ＯＦＦ信号を受信して前記制御回路に伝え、
前記制御回路は、前記受信回路から送られる前記ＯＮ信号または前記ＯＦＦ信号によって前記駆動体を制御するために必要な指令を前記駆動回路に与え、
前記連結線巻取り器は、前記駆動体からの駆動力によって前記連結線の巻き取りを行い、
前記センサー回路は、前記サッカーボールと前記制御機器体との間の設定位置情報に基づき前記ＯＮ信号を前記ＯＦＦ信号に自動切換えする指示を前記制御回路に与える、請求項１記載のサッカートレーニング電気システム。
【請求項３】
前記連結線の一端に前記連結線巻取り器が接続され、前記連結線の他端に前記連結板が接続され、
前記連結板は、前記サッカーボールの球面と接着されているとともに、前記連結線の前記一端と着脱自在に接続される、請求項２記載のサッカートレーニング電気システム。
【請求項４】
前記制御機器体の電力は、太陽光パネルまたはモバイルバッテリーから供給される、請求項１から請求項３のいずれか１項に記載のサッカートレーニング電気システム。
【請求項５】
前記制御機器体を収容する携帯型キャビネットをさらに備え、
前記携帯型キャビネットは、
固定下部本体と、
前記固定下部本体に対して水平方向に回転可能に設けられる回転上部本体と、を有する、請求項１から請求項４のいずれか１項に記載のサッカートレーニング電気システム。
【請求項６】
前記制御機器体は前記回転上部本体に収容され、
前記回転上部本体には、前記連結線を通し、前記回転上部本体の内方から外方に向けて拡径するテーパー状管路が設けられる、請求項５記載のサッカートレーニング電気システム。
【請求項７】
前記回転上部本体には前記制御機器体に電力を供給する太陽光パネルが設けられる、請求項５または請求項６に記載のサッカートレーニング電気システム。
【請求項８】
前記回転上部本体には前記固定下部本体と対向する円筒形状部材が設けられ、
前記固定下部本体は、前記円筒形状部材を水平方向の回転軸に沿った方向に摺動化するニードルローラベアリングと、前記円筒形状部材の底面と対向するボールベアリングとを備えた軸受け構造を有する、請求項５から請求項７のいずれか１項に記載のサッカートレーニング電気システム。
【請求項９】
前記固定下部本体の底面には高比重素材のゴムプレートが設けられる、請求項５から請求項８のいずれか１項に記載のサッカートレーニング電気システム。
【発明の詳細な説明】
【技術分野】
【０００１】
【背景技術】
【０００２】サッカーの練習器具として、蹴球者の手で持つように応用したリールに巻かれている繋ぎケーブルと、該繋ぎケーブルの自由端に結びつけられているボールとからなっており、前記リールは繋ぎケーブルを自動的に巻くために付勢されており、つなぎケーブルの巻き戻し防止あるいは許容するための停止手段が設けられている。
【先行技術文献】
【特許文献】
【０００３】
【特許文献】特開平０６−１７８８３３
【発明の概要】
【発明が解決しようとする課題】
【０００４】  上記の練習器具は、蹴球者が携帯するリール内に導入されているケーブルとサッカーボールが繋がれて一体化され、そのケーブルはリール内に収まる許容内の長さに制約される。このために練習のメニューは、ドリブルまたはリフティング等のショートゲームの練習に制限されることになる。
【課題を解決するための手段】
【０００５】  サッカーの練習は通常２人以上でのパスワークのなかで、ボールコントロールの技術が磨かれていくものである。しかしながら、お互いの力量差、または練習スペースの制約等で１人練習を余儀なくされるケースが生じることもある。
このような背景のもとでの練習は壁等を対象とするキックの練習、またはドリブル、リフティング等のショートゲームの練習に限られる。【０００６】  このことから本発明は、前記課題を解決するために考案されたものであり、１人練習を行うにあたり、蹴球から帰球に至るまでの一連の過程を電気システム方式（１）のもとに実施するものであり、蹴球者とボールを拘束するものがなく双方の位置関係がフリーのポテンシャルにあることから、多様な練習メニューを効率的に行えることにより、技術の向上に寄与するものである。【０００７】  また他施設の方向に飛球した場合に、発信信号をＯＮ（駆動回転）とすることでボールが反転し、蹴球元に帰球するため安全性の確保ができる。さらに、ボールが連結線と繋がれているため拾球行為が省かれて効率的な練習を実行できるものである。このようなことから前記課題となるショートゲームの練習に限らず、多岐にわたる練習が行える電気システム方式であることを解決の手段とする。【０００８】  本発明の電気システム方式（１）の機能内容は、サッカーの運動軌跡を一人で効率的に行う手段をシステム化したものであり、蹴球に伴う慣性飛球〜自然落下（往路運動空転：ＯＦＦ信号）、のち強制反転〜強制帰球（復路運動駆動回転：ＯＮ信号）、および飛球段階における強制反転〜強制帰球（復路運動駆動回転：ＯＮ信号）に至る各運動過程を制御機器体（２）の各機能を介してコントロール管理する方法であり、蹴球者が掌中に携帯する送信機（５）の信号発信を運動過程の変遷を視野に入れるなかＯＮ／ＯＦＦの切り替えにより、前記制御機器体（２）を介してボールコントロールする方法となる。【０００９】  前記電気システム方式（１）は、制御機器体（２）と連結線（３）と連結板（４）とサッカーボール（５）のパーツが一連となって機能するシステムである。【００１０】  具体的な説明として、蹴球者がサッカーボール（５）の方向と距離をランダムに蹴り放ったとき、送信機（６）の発信信号をＯＦＦ設定にすることで、駆動体（１３）と連結線巻取り器（１４）が空転を続け、メカニズムに負荷が懸からない状態での慣性飛球を継続する。【００１１】こののち、サッカーボール（５）の慣性力が消滅し、地表面に自然落下した時点で、信号をＯＮ設定に切り替えることにより、これまでの空転状態が駆動回転状態に切り替わり、自然落下したボールに繋がれている該連結線（３）が強制反転させ、引戻す運動で蹴球原点の制御機器体（２）まで強制帰球させる。【００１２】  このような蹴球後の慣性飛球〜自然落下〜強制方向転換〜強制帰球させるまでの一連の運動過程を、電気システム方式（１）の機能で行うことを方法とするサッカー練習器具である。【００１３】  前記ランダムに蹴り放つとは、蹴球者が１球目の帰球後、２球目に於いて１球目とは異なった方向に蹴ることをいい、この時の落下地点の位置座標の変化が１球目の蹴り放ちとは異なった位方からの帰球軌跡で形成される。これらの過程を送信機（５）の発信信号ＯＮ／ＯＦＦの繰り返しによるサッカーボールの軌跡の変化に対応する練習により、実戦に沿った感覚を身に着けることができる。【００１４】  前記制御機器体（２）の機器類は、電源回路（７）、受信回路��８）、制御回路（９）、駆動回路（１０）、センサー回路（１１）、および、駆動電力（１２）、駆動体（１３）、連結線巻取り器（１４）を備え、基板に装填される。【００１５】  前記制御機器体（２）の各機器の概略説明。
電源回路（７）は、    直流回路。
受信回路（８）は、    送信機（６）の信号を介してシステム機能の運転を司る。
制御回路（９）は、    送信機（６）の信号受信により、駆動体（１３）のモーターを制御するために必要な指令を駆動回路（１０）に与える。
駆動回路（１０）は    負荷・メカニズムを運転するに必要な電流量を駆動体（１３）となるモーターに与える。
センサー回路（１１）は、  帰球ボール（５）と電気回路体（２）間の設定位置情報を感知のもと（既ＯＮ信号をＯＦＦ信号）に自動切換え。
駆動電力（１２）は、    太陽光パネル（１６）またはモバイルバッテリー（１７）。
駆動体（１３）は、      ＤＣモーター、またはＤＣブラシレスモーター等のモーター類。
連結線巻取り器（１４）は、  連結線（３）を巻き取る負荷・メカニズムであるスプール。【００１６】  前記電気システム方式（１）の連結方法は、前記連結線（３）の一端が前記連結線巻取り器（１４）に接続され、
相対する該連結線（３）の他端は前記連結板（４）に施された連結小孔を通し、線端につぶし玉（２７）を嵌合して接続される。【００１７】  一方、該連結板（３）の裏面は、前記サッカーボール（５）の球面と樹脂接合される。【００１８】  これらの連結により、該電気システム方式（１）全体が一連となる。【００１９】  なお、該つぶし玉（２７）を取り外すことにより、使用するサッカーボールのサイズ（３，４，５号球）の取り換えが可能となる。【００２０】  前記連結線（３）の素材は適度な伸びが有り、摩擦強度が高いナイロン製、またはフロロカーボン製が有効。また、接続板（４）の素材は、合成樹脂製、金属製、またはそれらの合成体でなる。【００２１】  電気システム方式（１）の駆動電力（１２）の供給は太陽光パネル（１６）または、モバイルバッテリー（１７）であり、前記電気回路体（２）の駆動方式は、前記回転駆動体（１３）と前記連結線巻取り器（１４）の歯車伝動機構により生じるトルク方式である。【００２２】  前記制御機器体（２）の組成体は基板に装填され、回転上部本体（１８）と固定下部本体（２２）との２層構造でなる携帯型キャビネット（１７）に収納される。【００２３】  前記回転上部本体（１８）は、該回転上部本体（１８）の摺動回転体となる水平回転軸（１９）と、前記接続線（３）の巻き込み時の捻じれを防止するテーパー状管路（２０）と、モーターの回転熱を放熱する放熱スリット（２１）と前記太陽光パネル（１５）を付帯する構造である。【００２４】  前記連結線巻き取り器（１４）に接続されている前記連結線（３）は、サッカーボール（５）の飛球方向に常時追従する。このとき該回転上部本体（１８）が固定状態にあるために該連結線（３）は追従角度の変化に対応できず該回転上部本体（１８）の軸線方向となす屈線角度が大きくなる。【００２５】  この屈線角度により生じるポテンシャルエネルギーは該接続線（３）に懸かる屈線負荷摩擦力を発生させ断線現象に関わる。【００２６】  従って、屈線負荷に伴い生じる滑動、転倒等の発生を回避するために、該水平回転軸（１９）の周囲、および底面に摺動回転を促進する円筒形状ステンレス平板（２５）を装填する。【００２７】  また前記回転上部本体（１８）の外装版側面に、前記連結線（３）の特性である巻き込み時に発生する捩れ絡みを防止する小径のテーパー状管路（２０）を付帯することにより、巻き取り線を整体化しスムーズな取り入れを図る。【００２８】  前記固定下部本体（２２）は前記回転上部本体（１８）を形成する前記水平回転軸（１９）の回転を摺動化するため、ニードルローラーベアリング（２３）を側面に設置し、ボールベアリング（２４）を底部に付帯する軸受け構造とすることで潤滑な回転を促す。【００２９】  前記固定下部本体（２２）の底板下面に高比重のクロロプレンゴム、ウレタンゴム、多硫化ゴム等の高比重ゴムを素材とするゴムプレート（２６）を併設することにより下部本体を低重心化させ、滑動・転倒の防止を図る。
【発明の効果】
【００３０】  サッカーの練習において、蹴球から帰球までの全過程を１人で行え、多様なメニューを効率的に実行できる電気システム方式となる。
【図面の簡単な説明】
【００３１】
【図１】電気システム方式姿図
【図２】携帯型キャビネット断面図（図１）および詳細図（図２）
【図３】サッカーボールの運動軌跡摸式図
【符号の説明】
【００３２】  １  電気システム方式                    １３  駆動体
２  制御機器体                          １４  連結線巻き取り器
３  連結線                              １５  太陽光パネル
４  連結板                              １６  モバイルバッテリー
５  サッカーボール                      １７  携帯型キャビネット
６  送信機                              １８  回転上部本体
７  電源回路                            １９  水平回転軸
８  受信回路                            ２０  テーパー状管路
９  制御回路                            ２１  放熱スリット
１０  駆動回路                            ２２  固定下部本体
１１  センサー回路                        ２３  ニードルローラーベアリング
１２  駆動電力                            ２４  ボールベアリング
２５  ステンレス平板
２６  ゴムプレート
２７  つぶし玉
【要約】      （修正有）【課題】サッカーの練習における、蹴球後の飛球〜強制方向転換〜強制帰球に至る一連の過程を電気システム（１）により１人で行うことができる方法を提供する。【解決手段】連結線３と、連結板４と、サッカーボール５とを備え、蹴球者が携帯する送信機を介し、蹴球に伴う慣性飛球〜自然落下（信号ＯＦＦ設定）、のち落下球の強制方向転換〜強制帰球（信号ＯＮ設定）までの一連のボールの運動過程を、モーターを駆動体とし、空転（ＯＦＦ信号）、回転（ＯＮ信号）の繰り返し操作により実行する電気システムとする。【選択図】図１【図１】
0006985549.tif 000002
【図２】
0006985549.tif 000003
【図３】
0006985549.tif 000004